【事件の表示】
　特許第２７５８８９４号「薄型発光体の端子構造」の請求項１ないし３、５ないし７に係る特許に対する特許異議の申立てについて、次のとおり決定する。
【結論】
　訂正を認める。
　特許第２７５８８９４号の請求項１ないし８に係る特許を維持する。
【理由】
Ｉ．手続きの経緯
　本件特許第２７５８８９４号は、平成８年１２月９日に特許出願され、平成１０年３月１３日にその特許権の設定登録がなされ、その後、セイコープレシジョン株式会社より特許異議の申し立てがなされ、当審において平成１１年６月１８日付で取消理由通知をしたところ、その指定期間内である平成１１年６月１８日に訂正請求がなされたものである。
ＩＩ．訂正の適否についての判断
　１．訂正事項
　上記訂正は、特許請求の範囲における記載を以下、ａ、ｂ、ｃのように訂正するとともに、特許請求の範囲の訂正にともない、発明の詳細な説明の項をｄ〜ｆのように訂正しようというものである。
（１）訂正事項ａ
　請求項５の記載の「回路が印刷された」を「電極端子が印刷された」と訂正する。
（２）訂正事項ｂ
　請求項６の記載の「前記リード端子が２個であり、前記薄型発光体の内部電極が前記リード端子によって２つに分割された」を「前記リード端子と前記薄型発光体の内部電極とがそれぞれ対応して２つ存在する」と訂正する。
（３）訂正事項ｃ
　請求項７の記載の「前記リード端子が複数に分割され、前記薄型発光体の内部電極が前記リード端子によって分割され分だけ分割される」を「前記リード端子と前記薄型発光体の内部電極とがそれぞれ対応して複数存在する」と訂正する。
（４）訂正事項ｄ
　明細書段落【００１１】の記載の「回路を印刷される」を「電極端子が印刷される」と訂正する。
（５）訂正事項ｅ
　明細書段落【００１２】の記載の「リード端子が２個であり、前記薄型発光体の内部電極が前記リード端子によって２つに分割される」を「リード端子と前記薄型発光体の内部電極とがそれぞれ対応して２つ存在する」と訂正する。
（６）訂正事項ｆ
　明細書段落【００１３】の記載の「リード端子が複数に分割され、前記薄型の発光体の内部電極が前記リード端子によって分割された分だけ分割される」を「リード端子と前記薄型発光体の内部電極とがそれぞれ対応して複数存在する」と訂正する。
２．訂正の目的の適否及び、拡張・変更の存否、新規事項の有無
（１）訂正事項ａについては、請求項５に記載されたリード端子と舌片とが重なった部分に印刷される回路について明瞭にしたものであり、該訂正は、特許明細書段落【０００７】「・・・薄型発光体の一辺に突出して設けられプリント基板の基板端子に接続されるリード端子とを備え・・・」の記載、同じく段落【００１４】「・・・プリント基板の基板電極と薄型発光体の電極とを接続する・・・」の記載および同じく段落【００１９】「・・・プリント板５と薄型発光体１の接続をするリード端子・・・」の記載に基づくものであるから、該訂正は、訂正前の明細書に記載された事項であり、願書に添付した明細書又は図面の記載の範囲内であって、明瞭でない記載の釈明に該当し、実質的に特許請求の範囲を拡張又は変更するものではない。
（２）訂正事項ｂおよびｃについては、それぞれ請求項６および７に記載された薄型発光体の内部電極とリード端子との構造を明瞭としたものであり、当該構造は、第４図、第７図の記載に基づくものであるから、該訂正は、訂正前の図面に記載された事項であるから、願書に添付した明細書又は図面に記載の範囲内であって、明瞭でない記載の釈明に該当し、実質的に特許請求の範囲を拡張又は変更するものではない。
（３）訂正事項ｄ乃至ｆについては、訂正後の特許請求の範囲の記載と発明の詳細な説明の記載を整合させるものであって、該訂正は、明瞭でない記載の釈明に該当し、実質的に特許請求の範囲を拡張又は変更するものではない。
３．むすび
　以上のとおりであるから、上記訂正請求は、特許法第１２０条の４第２項及び同条第３項で準用する第１２６条第２、３項の規定に適合するので当該訂正を認める。
ＩＩＩ．特許異議申立についての判断
１．本件発明
　本件請求項１、２、３、５、６、７項に係る発明は特許明細書及び図面の記載からみて、特許請求の範囲の請求項１、２、３、５、６、７に記載された以下のとおりのものと認められる。
　【請求項１】個別選択呼出受信機などの電子機器に使用され、矩型の薄型発光体と前記薄型発光体の一辺に突出して設けられプリント基板の基板素子に接続されるリード端子とを備えた薄型発光体の端子構造において、
前記薄型発光体の一部を突出させて設けられた舌片と、前記舌片の長さを実質的に長くするために、前記舌片の根元に所定の曲率をもって設けられた半円形の切り欠き部とを備え、前記舌片の根元にかかる曲げ応力を小さくしたことを特徴とする薄型発光体の端子構造。
　【請求項２】前記舌片が、前記薄型発光体の４隅から４個突出して設けられ、同時に前記舌片の根元に前記切り欠き部が４つ設けられたことを特徴とする、請求項１に記載の薄型発光体の端子構造。
　【請求項３】前記舌片が、前記薄型発光体の一辺の中央付近に１個設けられ、同時に前記舌片の根元に前記切り欠き部が２つ設けられたことを特徴とする、請求項１に記載の薄型発光体の端子構造。
　【請求項５】前記リード端子と前記舌片とが重なった部分の１個以上に電極端子が印刷されたことを特徴とする、請求項３または４に記載の薄型発光体の端子構造。
　【請求項６】前記リード端子と前記薄型発光体の内部電極とがそれぞれ対応して２つ存在することを特徴とする、請求項１〜５のいずれかに記載の薄型発光体の端子構造。
　【請求項７】前記リード端子と前記薄型発光体の内部電極とがそれぞれ対応して複数存在することを特徴とする、請求項１〜５のいずれかに記載の薄型発光体の端子構造。
２．申立理由の概要
　本件請求項１、２、３、５、６、７に係る各特許発明は、甲第１号証〜甲第５号証に記載された発明に基づいて、その発明の属する技術の分野における通常の知識を有する者が容易に発明をすることができたものであるから、特許法第２９条の第２項の規定により特許を受けることができないものであり、特許法第１１３条第１項第２号の規定により取り消すべきものである。
３．申立人が提示した甲号各証の記載
　甲第１号証（実願平３−５１１４２号（実開平４−１３５７３３号）のマイクロフィルム）には、「図１，２に示す液晶表示装置は、バックライトを供与する光源としてＬＣＤ１とプリント基板６との間に組み込まれるＥＬ９の四隅にそれぞれ、封止フィルムを舌片に突出させてなる舌片９ａが延設してあり、このＥＬ９をプリント基板６上の所定位置に載置したとき、二隅の舌片９ａが片側の列の接続端子７群の両端近傍に配置されるようになっている。したがって、各節属端子７群上に載置されて上ガラス基板２の端子部２ａに押しつけられる直方体形状のラバーコネクタ８は、該接続端子７群に圧接し、これら接続端子７を該端子部２ａに形成されている電極端子（図示せず）と導通させるとともに、該ラバーコネクタ８の両端部分がＥＬ９の舌片９ａに圧接し、該舌片９ａがラバーコネクタ８とプリント基板６との間に挟持されることとなる。つまり、ＬＣＤ１とプリント基板６との間に挟着されるラバーコネクタ８の弾発力で、該プリント基板６上のＥＬ９は四隅が押さえつけられた状態となる。」（段落【００１０】）こと、「・・・ＥＬに延設しだす舌片を該ラバーコネクタで押さえつけて該ＥＬをプリント基板上に固定するというものなので、振動や衝撃が加わってもＥＬのリード端子にクラックが発生しにくくなって信頼性が向上し、しかも簡単且つ安価にＥＬが固定できるという優れた効果を奏する。」（段落【００１４】）ことが記載されている。
　また甲第２号証（大学課程「機械設計学」株式会社オーム社、昭和５９年２月２９日発行）には、２．応力集中の緩和設計の項で、「・・・段付き帯板が引張りを受けたときの力線流れは、第１・１０図２）に示すように、すみ肉部で著しく集束され、単位断面積を通過する力線数が多く、大きな応力の発生が理解される。大きなＲを付ける（ｂ）図か、ぬすみを設ける（ｃ）図か、また断面急増部に切欠きを設けた（ｄ）図や、円孔を設ける（ｅ）図も一法である。」（６頁１４行〜７頁２行）ことが図面とともに記載されている。
　また、甲第３号証（特開平５−１３５８７２号公報）には、ＥＬ素子について記載されており、「・・・図１に示すように、まず透明電極の一例としての透明導電フィルム１上に発光層２を形成する。・・・更に絶縁層３の上に、背面電極４を形成する。この背面電極４は、カーボン粉と溶剤に溶けた樹脂（アクリル系など）からなる導電性ペーストを、印刷し、乾燥して形成したものである。・・・このペーストを背面電極４上に印刷し乾燥させて補水体層５を形成する。・・・」（段落【００１０】）こと、「図２にリード電極７の接続の構成を示している。透明導電フィルム１は、下辺から引出し部１ａを突出させた形状に形成してある。」【】【】
　また甲第４号証（特開平５−１８２７６１号公報）には、「本発明は、ＥＬ素子とこのＥＬ素子を用いた時計に関し、特に複数の色に発光するＥＬ素子と、このＥＬ素子を用いてメロデイ音やリズム等に合わせて複数の色を点滅発光する時計に関する。」（段落【０００１】）こと、「図３及び図４は本発明のＥＬ素子の他の実施例を示している。・・・透明導電フィルム２３には発光層が形成される四角形の部分の下に、コモン電極端子を接続するための集電極用の突出部２３ａが形成してある。」（段落【００２４】）こと、「・・・更に電気絶縁層３２上にはこの各背面電極に導通する引出し電極２８ａ、２９ａ、３０ａを形成する。また同時に透明電極フィルムの突出部２３ａ上にカーボンを印刷して集電極３１を形成する。」（段落【００２７】）ことが記載されている。
　また、甲第５号証（特開平８−７９４７号公報）には、可読性プリント配線板とそれを用いた接続構造として「・・・図４に示すように、突出部２２ｂを形成するために、長方形の樹脂シート２２を突出部２２ｂの形成エリアを含めた大きさとし、湾状の切り込み２２ｃ、２２ｃを設けることにより突出部２２ｂを形成してある。切り込み２２ｃ、２２ｃに挟まれた部分２２ｄは残留部となる。」（段落【００１３】）ことが記載されている。
４当審の判断
（１）請求項１に係る発明について
　請求項１に係る発明と申立人の提出した甲号各証記載の発明とを対比すると、
　甲第１号証記載の発明は、請求項１に係る発明の薄型発光体に相当するエレクトロルミネッセンス（ＥＬと略称）の四隅に突出する「舌片９ａ」を備えていて、この舌片をラバーコネクタとプリント基板で挟持し、ＥＬを確実にプリント基板に固定するものであるが、請求項１に係る発明の構成である「舌片の長さを実質的に長くするために前記舌片の根元に所定の曲率をもって設けられた切り欠き部とを備え、前記舌片の根元にかかる曲げ応力を小さくした」構成を備えておらずまた示唆するところもない。
　また甲第２号証記載の発明は、段付帯板が、引張り応力を受けたとき、応力集中の緩和を図るため、大きなＲを付けたり、ぬすみを設けたり、断面急増部に切り欠きを設けるものであるが、請求項１に係る発明の、「発光体の一部を突出させて設けられた舌片と、前記舌片の長さを実質的に長くするために、前記舌片の根元に所定の曲率をもって設けられた半円形の切り欠き部とを備え、前記舌片の根元にかかる曲げ応力を小さくした」ものではない。
　また甲第３号証記載の発明には、請求項１に係る発明の舌片に相当する引き出し部１ａが、
　また、甲第４号証記載の発明には、請求項１に係る発明の舌片に相当する四辺形の防湿フィルムの下辺に、電極端子用の突出部が、
　また、甲第５号証記載の発明には、長方形の樹脂シートに湾状の切り込みを設けることにより形成された突出部２２ｂが備わっているが、いずれのものも、請求項１に係る発明の構成である「舌片の長さを実質的に長くするために、前記舌片の根元に所定の曲率をもって設けられた半円形の切り欠き部を設け、前記舌片の根元に係る曲げ応力を小さくした」構成が備わっていない。
　そして、請求項１に係る発明は上記構成を備えることにより、「端子部の根元に切り欠き部を設け、端子長さを長くしたので屈曲性が良くなり、曲げ応力に強くなる。従って、舌片付近にクラックが入り難くなり、部分的に暗くなったり部分的に点灯しなくなったりすることがなくなる。」という効果を奏するものである。
　したがって、請求項１に係る発明が上記甲号各証記載の発明に基づいて当業者が容易に推考しうるものではない。
（２）請求項２，３，５，６，７に係る発明について
　請求項２，３，５，６，７に係る発明は、請求項１に係る発明を更に限定したものであるから、上記請求項１に係る発明についての判断と同様の理由により、上記甲号各証に記載された発明から容易に推考しうるものではない。
　以上のとおり、請求項１乃至３及び請求項５乃至７に係る発明は、特許異議申立人が提出した甲号各証に記載された発明に基づいて当業者が容易に発明をすることができたものではない。
５．むすび
　以上のとおりであるから、特許異議の申立ての理由及び証拠によっては、本件請求項１，２，３，５，６，７項に係る発明についての特許を取り消すことはできない。
　また、他に本件請求項１，２，３，５，６，７項に係る発明についての特許を取り消すべき理由を発見しない。
【異議決定日】
平成１１年６月３０日（１９９９．６．３０）
【訂正の要旨】
訂正の要旨
▲１▼訂正事項ａ
　請求項５の記載「回路が印刷された」を『電極端子が印刷された』に訂正する。
▲２▼訂正事項ｂ
　請求項６の記載「前記リード端子が２個であり、前記薄型発光体の内部電極が前記リード端子によって２つに分割された」を『前記リード端子と前記薄型発光体の内部電極とがそれぞれ対応して２つ存在する』と訂正する。
▲３▼訂正事項ｃ
　請求項７の記載「前記リード端子が複数に分割され、前記薄型発光体の内部電極が前記リード端子によって分割され分だけ分割される」を『前記リード端子と前記薄型発光本の内部電極とがそれぞれ対応して複数存在する』と訂正する。
▲４▼訂正事項ｄ
　明細書第１１段落の記載「回路を印刷される」を『電極端子が印刷される』に訂正する。
▲５▼訂正事項ｅ
　明細書第１２段落の記載「リード端子が２個であり、前記薄型発光体の内部電極が前記リード端子によって２つに分割される」を『リード端子と前記薄型発光体の内部電極とがそれぞれ対応して２つ存在する』と訂正する。
▲６▼訂正事項ｆ
　明細書第１３段落の記載「リード端子が複数に分割され、前記薄型発光体の内部電極が前記リード端子によって分割された分だけ分割される」を『リード端子と前記薄型発光体の内部電極とがそれぞれ対応して複数存在する』と訂正する。
（５４）【発明の名称】
薄型発光体の端子構造
（５７）【特許請求の範囲】
　【請求項１】個別選択呼出受信機などの電子機器に使用され、矩型の薄型発光体と、前記薄型発光体の一辺に突出して設けられプリント基板の基板端子に接続されるリード端子とを備えた薄型発光体の端子構造において、
前記薄型発光体の一部を突出させて設けられた舌片と、前記舌片の長さを実質的に長くするために、前記舌片の根元に所定の曲率をもって設けられた半円形の切り欠き部とを備え、前記舌片の根元にかかる曲げ応力を小さくしたことを特徴とする薄型発光体の端子構造。
　【請求項２】前記舌片が、前記薄型発光体の４隅から４個突出して設けられ、同時に前記舌片の根元に前記切り欠き部が４つ設けられたことを特徴とする、請求項１に記載の薄型発光体の端子構造。
　【請求項３】前記舌片が、前記薄型発光体の一辺の中央付近に１個設けられ、同時に前記舌片の根元に前記切り欠き部が２つ設けられたことを特徴とする、請求項１に記載の薄型発光体の端子構造。
　【請求項４】前記薄型発光体を前記プリント基板から離して上に持ち上げたとき、前記プリント基板と、前記薄型発光体との間に電気部品を実装できることを特徴とする、請求項３に記載の薄型発光体の端子構造。
　【請求項５】前記リード端子と前記舌片とが重なった部分の１箇所以上に
電極端子
　【請求項６】前記リード端子
と
とがそれぞれ対応して
存在する
　【請求項７】前記リード端子
と
と
それぞれ対応して複数存在する
　【請求項８】前記薄型発光体を固定しコネクタとの接続を密接にする押さえを有するフレームと、前記プリント基板の基板電極と前記薄型発光体の電極とを接続する弾性体コネクタとを備えたことを特徴とする、請求項１〜７のいずれかに記載の薄型発光体の端子構造。
【発明の詳細な説明】
　【０００１】
　【発明の属する技術分野】本発明は、個別選択呼出受信機などの電子機器に使用する薄型発光体の端子構造に関する。
　【０００２】
　【従来の技術】従来、この種の薄型発光体（エレクトロルミネセンス）は、入力端子に交流電圧を印加すると発光するので、表示体の照明や表示に用いられる。従来の薄型発光体の一例が、実開平４−１３５７３３に記載されている。この薄型発光体は、２本の入力端子と薄型発光体の固定用舌片と、発光部とで構成されている。固定用舌片は、ラバーコネクタとプリント基板で挟み込み薄型発光体を固定する。
　【０００３】
　【発明が解決しようとする課題】上述した従来例は、舌片がラバーコネクタとプリント基板とで固定されており、舌片の長さが短いので根元に応力がかかり易くなるので、舌片付近にクラックが入り易くなり、クラックにより部分的に暗くなったり、あるいは部分的に点灯しなくなったりするという問題を有している。
　【０００４】また、上述した従来例は、ＥＬ（エレクトロルミネセンス）の舌片とＬＣＤ（発光ダイオード）の接続端子とがプリント基板上にあり、ラバーコネクタで押さえつける構造であるので、エレクトロルミネセンスの下に他の部品が実装できないという問題を有している。
　【０００５】従って、本発明の目的は、クラックが入りにくい舌片をもった薄型発光体を提供することにある。
　【０００６】また、本発明の他の目的は、薄型発光体とプリント板の間に電気部品が実装できる薄型発光体を提供することにある。
　【０００７】
　【課題を解決するための手段】上記目的を達成するために、本発明の薄型発光体の端子構造は、個別選択呼出受信機などの電子機器に使用され、矩型の薄型発光体と、薄型発光体の一辺に突出して設けられプリント基板の基板端子に接続されるリード端子とを備えた薄型発光体の端子構造において、薄型発光体の一部を突出させて設けられた舌片と、舌片の長さを実質的に長くするために、舌片の根元に所定の曲率をもって設けられた半円形の切り欠き部とを備え、舌片の根元にかかる曲げ応力を小さくしたことを特徴とする。
　【０００８】また、舌片が薄型発光体の４隅から４個突出して設けられ、同時に舌片の根元に切り欠き部が４つ設けられと好ましい。
　【０００９】さらに、舌片力が薄型発光体の一辺の中央付近に１個設けられ、同時に舌片の根元に切り欠き部が２つ設けられると好ましい。
　【００１０】またさらに、薄型発光体をプリント基板に対して上に持ち上げたとき、プリント基板と薄型発光体との間に電気部品を実装できると好ましい。
　【００１１】また、リード端子と舌片とが重なった部分の１箇所以上に
電極端子
　【００１２】さらに、リード端子
と
とがそれぞれ対応して
存在する
　【００１３】またさらに、リード端子
と
と
それぞれ対応して複数存在する
　【００１４】また、薄型発光体を固定しコネクタとの接続を密接にする押さえを有するフレームと、プリント基板の基板電極と薄型発光体の電極とを接続する弾性体コネクタとを備えると好ましい。
　【００１５】本発明の薄型発光体の端子構造は、特に、エレクトロルミネセンスから出された舌片の根元に曲率をもたせた切り欠き部を設け、長さを長くした舌片を備えている。このように、端子部の根元に曲率をもたせることによって、舌片根元にかかる応力を緩和し、さらに舌片が長くなるので屈曲性が増すという作用がある。
　【００１６】
　【発明の実施の形態】本発明の実施例を図面を参照して説明する。
　【００１７】図１，図２は、本発明の薄型発光体の端子構造を示す図であり、図１は斜視図、図２は平面図である。この構造は、矩型の薄型発光体（エレクトロルミネセンス）１の４隅から突き出ている４つの舌片２を設け、これらの舌片２の根元にある曲率をもった切り欠き部３を設けている。また、その１辺に２個のリード端子を有している。
　【００１８】図３は、本発明の第１の実施例を示す斜視図である。この実施例は、プリント板５に実装され、ラバーコネクタ６によって固定された薄型発光体（エレクトロルミネセンス）１がある。実装された状態のまま落下などの衝撃が加わると、薄型発光体１がプリント板５から浮くような状態になり、舌片２の根元に曲げ応力がかかる。しかし切り欠き部３を付け、舌片２の長さを長くしている薄型発光体１は、舌片２が長くなっている分だけたわむので舌片２の根元にかかる曲げ応力は小さくなる。
　【００１９】図４，図５，図６は、本発明の第２の実施例を示す図であり、図４は斜視図、図５は平面図、図６は横断面図である。図の斜線部分は、印刷する箇所を示している。図４および図５に示すように、この実施例では、矩型の薄型発光体１の一辺の中央付近に、リード端子４Ａと１つの舌片２とを一体化して設け、さらに、この舌片２の両端の根元に２つの切り欠き部３を設けている。このように一体化したリード端子４Ａと舌片２の上の１箇所以上に回路を印刷し、プリント板５と薄型発光体１の接続をするリード端子４Ａと、薄型発光体１を固定する舌片２を一体化している。図６は、本発明の第２の実施例を実装したときの状態を示す横断面図である。このように、プリント板５の上にラバーコネクタ６を設け、ラバーコネクタ６の上に舌片２を置き、フレーム７で囲むと、薄型発光体１を上に持ち上げたとき、薄型発光体１とプリント板５とが離れるため、薄型発光体１の下に電気部品９を実装できる。
　【００２０】図７は、本発明の第３の実施例を示す平面図である。この実施例は、舌片２および切り欠き部３の位置は、第２の実施例と同様であるが、特に、複数に分割したリード端子４Ｂを備え、さらにリード端子４Ｂの分だけ内部電極を分割した薄型発光体１を備えている。このように、リード端子４Ｂを複数にし、薄型発光体１の内部電極を増やしたリード端子分だけ分割するため、それぞれのリ一ド端子４Ｂに異なった入力をすることによって、複雑な表示が可能になる。
　【００２１】
　【発明の効果】本発明の薄型発光体の端子構造では、端子部の根元に切り欠き部を設け、端子長さを長くしたので屈曲性が良くなり、曲げ応力に強くなる。従って、舌片付近にクラックが入り難くなり、部分的に暗くなったり部分的に点灯しなくなったりすることがなくなるという効果を奏する。
　【００２２】また、本発明の薄型発光体の端子構造では、エレクトロルミネセンス固定用の端子をラバーコネクタで押さえつけるのではなく、フレームとラバーコネクタで固定する構造にしたので、エレクトロルミネセンスの下に他の部品が実装できるという効果も奏する。
【図面の簡単な説明】
　【図１】本発明の薄型発光体の実施例の構造を示す斜視図である。
　【図２】本発明の薄型発光体の実施例の構造を示す平面図である。
　【図３】本発明の第１の実施例を示す斜視図である。
　【図４】本発明の第２の実施例を示す斜視図である。
　【図５】本発明の第２の実施例を示す平面図である。
　【図６】本発明の第２の実施例を示す断面図である。
　【図７】本発明の第３の実施例を示す平面図である。
　【符号の説明】
１　薄型発光体（エレクトロルミネセンス）
２　舌片
３　切り欠き部
４　リード端子
４Ａ　リード端子
４Ｂ　リード端子
５　プリント板
６　ラバーコネクタ
７　フレーム
８　プリント基板
９　電気部品